(57)【要約】【課題】三脚穴に固定するスタンドにおいて、より簡易な構成で十分機能するようにする。【解決手段】機器１の筐体２の三脚穴に差し込み固定される軸部材４１と、この軸部材４１を通すための穴１２を有する第１の部材１１と、Ｌ字形状を有し、且つ当該Ｌ字形状の一方が板状部材２２で形成されて、他方が第１の部材１１と角度調整可能に接続される第２の部材２１と、を備えるスタンド１０であって、Ｌ字形状の他方２３は、少なくとも機器筐体２の厚み方向の幅と略同じ寸法の幅を有し、板状部材２２は、第１の部材１１との角度調整により、機器筐体２の三脚穴を有する面と略直交する面を保護するように配置可能とされている。軸部材４１には、当該スタンド１０を他の物品に取り付けるための取付部材６１が備えられている。【選択図】図１
2019049588.tif 000002
【特許請求の範囲】
【請求項１】
機器筐体の三脚穴に差し込み固定される軸部材と、
この軸部材を通すための穴を有する第１の部材と、
Ｌ字形状を有し、且つ当該Ｌ字形状の一方が板状部材で形成されて、他方が前記第１の部材と角度調整可能に接続される第２の部材と、
を備えることを特徴とするスタンド。
【請求項２】
前記Ｌ字形状の他方は、少なくとも前記機器筐体の厚み方向の幅と略同じ寸法の幅を有し、
前記板状部材は、前記第１の部材との角度調整により、前記機器筐体の前記三脚穴を有する面と略直交する面を保護するように配置可能とされていることを特徴とする請求項１に記載のスタンド。
【請求項３】
前記第１の部材に対し前記第２の部材を角度調整可能に接続する調整ネジ部材を備えることを特徴とする請求項１又は２に記載のスタンド。
【請求項４】
前記軸部材には、当該スタンドを他の物品に取り付けるための取付部材が備えられていることを特徴とする請求項１から３のいずれか一項に記載のスタンド。
【請求項５】
前記軸部材と前記取付部材を互いに自由回転可能に接続するより戻し機構を備えることを特徴とする請求項１から４のいずれか一項に記載のスタンド。
【発明の詳細な説明】
【技術分野】
【０００１】
本発明は、カメラ等の三脚穴に固定して用いるスタンドに関する。
【背景技術】
【０００２】
従来より、カメラ等の機器を安定的に設置する器具として、三脚が知られている。
三脚は、機器の筐体底面に設けられた三脚穴に先端部を螺合することで、機器を安定的に設置するものであるが、機器に装着された状態では持ち運びに邪魔になるという問題がある。
このような点を解消するため、特許文献１において、三脚そのものを折り畳み可能にした多数枚のプレート状による機構提案がなされている。
【先行技術文献】
【特許文献】
【０００３】
【特許文献１】特開平９−２７４２４５号公報
【発明の概要】
【発明が解決しようとする課題】
【０００４】
しかし、特許文献１のような折り畳み可能にした多数枚のプレートによる三脚は、個々のプレートを折り畳むための可動部（蝶番）を多数有する複雑なものであり、また、個々のプレートを折り畳んだり起こしたりする取り回しの点で煩わしさは解消されていない。
【０００５】
本発明の課題は、三脚穴に固定するスタンドにおいて、より簡易な構成で十分機能するようにすることである。
【課題を解決するための手段】
【０００６】
以上の課題を解決するため、本発明は、
機器筐体の三脚穴に差し込み固定される軸部材と、
この軸部材を通すための穴を有する第１の部材と、
Ｌ字形状を有し、且つ当該Ｌ字形状の一方が板状部材で形成されて、他方が前記第１の部材と角度調整可能に接続される第２の部材と、
を備えるスタンドを特徴とする。
【発明の効果】
【０００７】
本発明によれば、三脚穴に固定するスタンドにおいて、より簡易な構成で十分機能するようにすることができる。
【図面の簡単な説明】
【０００８】
【図１】本発明を適用したスタンドの一実施形態の構成を示すもので、機器の一例としてカメラに装着した状態の斜視図である。
【図２】図１のスタンドの単独状態を反対側から示した図である。
【図３】図１の軸部材及び取付部材の単独状態を示した図である。
【図４】図１のスタンドからカメラを起立させて取付部材を反対側に向けた状態を示した図である。
【図５】図１の取付部材をストラップとして使用した状態を示した図である。
【発明を実施するための形態】
【０００９】
以下、図を参照して本発明を実施するための形態を詳細に説明する。
（実施形態）
図１は本発明を適用したスタンドを機器の一例としてカメラ１に装着した状態を示すもので、カメラ１は、図示例では、略円形をなす樹脂製のカメラ筐体２の上面にレンズカバー３を備え、カメラ筐体２の円周側面に設けられる図示しない三脚穴（ネジ穴）に、スタンドであるカメラ用スタンド１０が取り付けられている。
【００１０】
カメラ用スタンド１０は、単独状態を示す図２のように、小片状の第１の部材１１と、側面視Ｌ字形状の第２の部材２１と、第１の部材１１と第２の部材２１を角度調整可能に接続する調整ネジ部材３１と、カメラ筐体２側面の三脚穴に差し込み固定される軸部材４１と、を備える構成である。
【００１１】
第１の部材１１は、その板状の中央に、軸部材４１の先端部の雄ネジ４２を通すためのネジ通し穴１２が形成されている。
このネジ通し孔１２を通して軸部材４１先端部の雄ネジ４２がカメラ筐体２側面の三脚穴に差し込んでネジ止め固定される。
【００１２】
第２の部材２１は、その側面視Ｌ字形状の一方が板状部材２２で形成されて、この板状部材２２から垂直に起立する起立部２３の先端部において、板状部材２２と平行に配置した調整ネジ部材３１により第１の部材１１と角度調整可能に接続されている。
板状部材２２は、硬質樹脂材により成形されて滑り止め用のディンプル加工が施されていて、カメラ筐体２の底面を略保護する形状となっている。
起立部２３は、板状部材２２の一側部に配置されていて、カメラ筐体２の厚み方向の幅と略同じ寸法の幅を有する形状となっている。
【００１３】
調整ネジ部材３１は、手の指で回転操作するもので、一方向（例えば右回転等の締め込み方向）に回転操作すると、板状の第１の部材１１を第２の部材２１の起立部２３に固定し、逆方向（例えば左回転等の緩ませ方向）に回転操作すると、起立部２３に対する第１の部材１１の自由回転を許容する。
【００１４】
軸部材４１は、図３に示すように、先端部の雄ネジ部４２、第１の部材１１のネジ通し穴１２に通す貫通部４３、手の指で回転操作するためのフランジ部４４を有して、基端部により戻し機構５１を介して、他の物品に取り付けるための取付部材であるカラビナ６１が接続されている。
【００１５】
より戻し機構５１は、軸部材４１の基端部に回転自在に組み付けた回転コマ５２と、この回転コマ５２に軸部材４１と直交方向に挿入した接続リング５３と、その接続リング５３を一端部に挿入して、他端部にカラビナ６１を保持する接続バンド５４とから構成されている。
すなわち、より戻し機構５１は、雄ネジ部４２を有する軸部材４１の回転とカラビナ６１の回転の関連性をなくし、軸部材４１を回しても、図３に矢印Ｒ１で示す回転コマ５２の左右両方向の回転により、カラビナ６１は回転しないようにする機能を具備している。
【００１６】
また、このように、軸部材４１とカラビナ６１の回転が互いにキャンセルされるだけでなく、軸部材４１の軸方向に対して直角に貫通する接続リング５３と接続バンド５４でも接続されており、図３に矢印Ｒ２で示すように、軸部材４１に対して直角方向も接続リング５３及び接続バンド５４を介して回転自由な構成となっている。
【００１７】
以上のカメラ用スタンド１０は、図２に示すように、軸部材４１の雄ネジ部４２を第１の部材１１のネジ通し穴１２に通し、フランジ部４４を指で回転操作して、雄ネジ部４２をカメラ筐体２側面の三脚穴にネジ込んで固定する。
【００１８】
図１はカメラ用スタンド１０の第２の部材２１の板状部材２２上にカメラ筐体２がレンズカバー３を上にして重ねられた状態を示している。
このように、机等に置いた状態の板状部材２２は、カメラ筐体２の三脚穴を有する側面と略直交する底面を保護する。
【００１９】
図４はカメラ用スタンド１０からカメラ１を起立させてカラビナ６１を反対側に向けた状態を示したもので、図１の状態から調整ネジ部材３１を緩めて、第１の部材１１を、例えば９０度回転させて、図示のように、カメラ１のレンズカバー３の向きが横向きになるなど所望の角度になるように調整してから、調整ネジ部材３１を締め込んで固定する。
なお、第１の部材１１を回転させる際は、カラビナ６１がスタンドと干渉しないように、図示のように、より戻し構造５１の回転コマ５２の回転とともに接続リング５３及び接続バンド５４で折り曲げながら、置いた状態にある第２の部材２１の板状部材２２と起立部２３及び調整ネジ部材３１で形成される開口部に接続リング５３及び接続バンド５４を通しながら行なう。
【００２０】
図５はカラビナ６１をストラップとして使用した状態を示したもので、図示のように、カメラ用スタンド１０の第２の部材２１の板状部材２２上にカメラ筐体２がレンズカバー３を上にして重ねられた状態で、カラビナ６１により使用者の衣類など他の物品に取り付けて吊り下げた状態で持ち運ぶ。
【００２１】
このように、板状部材２２上にカメラ筐体２を折り畳むことで、カメラ１と一体形状とすることが可能で、カメラ用ストラップとして持ち運び時に邪魔にならず、また、起立部２３上にカメラ筐体２を折り曲げることで、カメラ１を自立させることできる。
すなわち、自立スタンドとストラップの両方の機能を具備することができる。
【００２２】
以上、実施形態のカメラ用スタンド１０によれば、カメラ筐体２側面の三脚穴に差し込み固定される軸部材４１と、この軸部材４１先端部の雄ネジ部４２を通すネジ通し穴１２を有する第１の部材１１と、側面視Ｌ字形状の一方が板状部材２２で形成されて、側面視Ｌ字形状の他方の起立部２３で調整ネジ部材３１により第１の部材１１と角度調整可能に接続される第２の部材２１と、を備える構成のため、より簡易な構成でカメラ１の三脚穴に固定するスタンドとして十分機能することができる。
【００２３】
すなわち、調整ネジ部材３１の回転操作により第１の部材１１を回転させて、図１に示すように、側面視Ｌ字形状をなす第２の部材２１の板状部材２２上にカメラ筐体２を重ねた折り畳み状態にしたり、図４に示すように、第２の部材２１の起立部２３上にカメラ筐体２を立ててレンズカバー３を横向き状態にすることができる。
【００２４】
そして、第２の部材２１の起立部２３がカメラ筐体２の厚み方向の幅と略同じ寸法の幅を有しているので、その起立部２３上で調整ネジ部材３１により、軸部材４１でカメラ筐体２側面の三脚穴に固定した第１の部材１１を角度調整して、図１に示すように、カメラ筐体２を板状部材２２上に重ねた折り畳み状態にすることができる。
【００２５】
このように、カメラ筐体２を板状部材２２上に重ねた折り畳み状態にしたり、カメラ１を立ててレンズカバー３を横向きにした状態において、カメラ筐体２の底面を板状部材２２により保護することができる。
【００２６】
（変形例）
以上の実施形態においては、カメラ用スタンドとしたが、本発明はこれに限定されるものではなく、他のカメラに対応したり、また、スタンドを用いる対象としてはカメラを備える携帯電話など他の電子機器であってもよい。
また、第１の部材、第２の部材、板状部材、調整ネジ部材、軸部材、及び取付部材の形状等も任意であり、その他、具体的な細部構造等についても適宜に変更可能であることは勿論である。
【００２７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
機器筐体の三脚穴に差し込み固定される軸部材と、
この軸部材を通すための穴を有する第１の部材と、
Ｌ字形状を有し、且つ当該Ｌ字形状の一方が板状部材で形成されて、他方が前記第１の部材と角度調整可能に接続される第２の部材と、
を備えることを特徴とするスタンド。
＜請求項２＞
前記Ｌ字形状の他方は、少なくとも前記機器筐体の厚み方向の幅と略同じ寸法の幅を有し、
前記板状部材は、前記第１の部材との角度調整により、前記機器筐体の前記三脚穴を有する面と略直交する面を保護するように配置可能とされていることを特徴とする請求項１に記載のスタンド。
＜請求項３＞
前記第１の部材に対し前記第２の部材を角度調整可能に接続する調整ネジ部材を備えることを特徴とする請求項１又は２に記載のスタンド。
＜請求項４＞
前記軸部材には、当該スタンドを他の物品に取り付けるための取付部材が備えられていることを特徴とする請求項１から３のいずれか一項に記載のスタンド。
＜請求項５＞
前記軸部材と前記取付部材を互いに自由回転可能に接続するより戻し機構を備えることを特徴とする請求項１から４のいずれか一項に記載のスタンド。
【符号の説明】
【００２８】
１  機器
２  筐体
３  レンズカバー
１０  スタンド
１１  第１の部材
１２  ネジ通し穴
２１  第２の部材
２２  板状部材
２３  起立部
３１  調整ネジ部材
４１  軸部材
４２  雄ネジ部
４３  貫通部
４４  フランジ部
５１  より戻し機構
５２  回転コマ
５３  接続リング
５４  接続バンド
６１  取付部材
【図１】
2019049588.tif 000003
【図２】
2019049588.tif 000004
【図３】
2019049588.tif 000005
【図４】
2019049588.tif 000006
【図５】
2019049588.tif 000007